(57)【特許請求の範囲】
【請求項１】
液透過性のトップシートと、液不透過性のバックシートと、これら両シートの間に介在された吸収体と、吸収体の横方向両側縁から外側へ延出したサイドフラップと、吸収体の両側縁近傍に形成されている立体ギャザーとを有する使いすておむつにおいて、
前記サイドフラップは、前記バックシートの、吸収体の横方向両側縁から外側へ延出した部分と、その上に積層されたサイドシートとにより形成され、さらにサイドフラップを構成するバックシートとサイドシートの間には伸縮弾性部材が伸長状態で配設されており、
前記立体ギャザーは、前記吸収体の両側縁を包み込むように配置されたフラップシートにより形成されており、
前記フラップシートは、その吸収体の下面に位置する部分がバックシートに接着固定されており、吸収体の上面に位置する部分は、長手方向に沿う側縁に伸縮弾性部材が伸長状態で配設され、長手方向両端部が吸収体上のトップシートに接着固定され、さらに股下領域の側縁は吸収体上のトップシート表面から離間する自由縁になっており、これにより着用時に股下領域において、前記吸収体下面のバックシートに接着固定された部分を基端部として、吸収体の側縁と共に上方に起立することを特徴とする使いすておむつ。
【発明の詳細な説明】
【０００１】
【発明の属する技術分野】
本発明は乳児用、または失禁者用として供される使いすておむつに関し、漏れ防止に効果のある使いすておむつに関する。
【０００２】
【従来の技術】
使いすておむつは、液透過性のトップシートと液不透過性のバックシートの間に、親水性シート、綿状パルプ、高吸水性高分子物質等からなる吸収体を配置した構成になっている。近年、紙おむつの吸収体中に高吸水性高分子物質を使用するようになってから、尿や軟便等の漏れや逆戻り等に対して絶大な効果を上げるようになった。しかし、高吸水性高分子物質は綿状パルプに比べて尿の吸収速度が極端に遅いため、一時的に多量の尿や軟便等が排泄された場合漏れる可能性がある。このため、多量の尿や軟便に対しても漏れないような対策が必要となってきた。
【０００３】
これらの点を解決するために、吸収体の外側にフラップを配置することが提案されてきた。すなわち、特公平６−９３９０１号公報に記載のように、伸縮弾性部材を含有するサイドフラップを有し、かつ、防漏部として機能するフラップは伸縮弾性部材を含み、おむつの内側に倒されて設置され、吸収体上の表面シートとの間にポケット部を形成し、漏れ防止を計ったおむつが知られている。
【０００４】
また、脚周りギャザーと吸収体の間の位置または吸収体上の位置に該吸収体の長手方向側縁に沿って配設され、着用者の身体に向かって立設する立体ギャザーを有し、該立体ギャザーはトップシート、バックシートとは別体のシートから構成されているパンツ型使いすておむつが、特開平３−２８０９５１号公報および特開平５−１８４６２２号公報に開示されている。
また、中央不織布と両側の撥水性サイド不織布とを接合して構成されたトップシート部材で吸収体の幅方向を包み込み、前記撥水性サイド不織布部分で２つの立体カフスを形成したおむつが、特開平６−２９６６３８号公報に開示されている。
【０００５】
【発明が解決しようとする課題】
上記の特公平６−９３９０１号公報に記載のおむつは、フラップが単純に吸収体内側に倒されただけで、装着時にフラップが吸収体側に起立せずに倒れているために、尿や軟便に対しての防漏壁の役割が果たせない場合がある。また、運良く起立していても、内側方向に倒れ気味に起立しているため、ポケット部の容量が少なくなり、多量の尿が排泄された時、一時的に尿を確保することができずに、おむつの外側に漏らしてしまうこととなる。また、容量を大きくするために、フラップ幅を広くすると、フラップが吸収体を覆う面積が大きくなり、吸収領域が極端に狭くなるという問題点があった。
【０００６】
また上記の特開平３−２８０９５１号公報、特開平６−６３０７４号公報に記載のパンツ型使いすておむつは、脚開口部からの排泄物の漏れを防止するために、トップシート、バックシートとは別体のシートで立体ギャザーを形成しているが、該立体ギャザーを構成する伸縮弾性部材が張設される細長い帯状シートをウエスト開口に設けられた伸縮弾性部材とほぼ垂直方向に、かつ吸収体全長に渡って長手方向側縁に配置することは、おむつ加工工程やおむつの構成が複雑となり高速生産することが難しい。また、特開平６−２９６６３８号公報に記載のおむつの場合も、トップシート部材を中央と両サイドの３素材から構成しており、さらに前記トップシートの両サイド部分で２つの立体カフスを形成しているので、おむつ加工工程やおむつの構成が煩雑となり、安価なおむつを提供することが困難となる。
【０００７】
また立体ギャザーは帯状シートと伸縮弾性部材のみからなるため、排泄物が該立体ギャザーを乗り越えたり、にじみ出したりして漏れ防止について不完全であった。
上述のように、漏れ防止に十分な効果がある有効な立体ギャザーを有する使いすておむつは今まで提案されていなかった。
本発明は上記従来の使いすておむつの有する問題点を克服して、立体ギャザーの形成するポケット構造の容量を大きくして排泄物の漏れを防止し、さらに吸収体側縁部の一部を立ち上げることにより股下部の装着感を良好にした使いすておむつを提供することを目的とするものである。
【０００８】
【課題を解決するための手段】
本発明の使いすておむつは、フラップシートの長手方向一側縁を吸収体上面において伸張状態で伸縮弾性部材を配設した自由縁とし、もう一方の側縁を吸収体の下面部位でバックシートに接着固定し、吸収体の下面を基端として、吸収体の側縁と共に上方に立ち上がる立体ギャザーを形成することにより上記目的を達成した。
【０００９】
すなわち、本発明の使いすておむつは、液透過性のトップシートと、液不透過性のバックシートと、これら両シートの間に介在された吸収体と、吸収体の横方向両側縁から外側へ延出したサイドフラップと、吸収体の両側縁近傍に形成されている立体ギャザーとを有する使いすておむつにおいて、
前記サイドフラップは、前記バックシートの、吸収体の横方向両側縁から外側へ延出した部分と、その上に積層されたサイドシートとにより形成され、さらにサイドフラップを構成するバックシートとサイドシートの間には伸縮弾性部材が伸長状態で配設されており、
前記立体ギャザーは、前記吸収体の両側縁を包み込むようにして吸収体の下面から上面に亘って配置されたフラップシートにより形成されており、
前記フラップシートは、その吸収体の下面に位置する部分がバックシートに接着固定されており、吸収体の上面に位置する部分は、長手方向に沿う側縁に伸縮弾性部材が伸長状態で配設され、長手方向両端部が吸収体上のトップシートに接着固定され、さらに股下領域の側縁は吸収体上のトップシート表面から離間する自由縁になっており、これにより着用時に股下領域において、前記吸収体下面のバックシートに接着固定された部分を基端部として、吸収体の側縁と共に上方に起立することを特徴とする使いすておむつである。
【００１０】
また、本発明は、前記立体ギャザーが前記吸収体下面全域をも覆っているフラップシートによって形成されていることを特徴とする前記使いすておむつに関するものである。
【００１１】
【発明の実施の形態】
上記構成の本発明の使いすておむつにおいて、吸収体の両側縁近傍に形成されている立体ギャザーは、吸収体の側縁を包み込むようにして吸収体の上面から下面に亘って配置されたフラップシートから形成されており、フラップシートが、吸収体の下面部位においてバックシートに接着固定された一側縁と、吸収体の上面部位において、伸縮弾性部材を伸張状態で配設し、吸収体上面から離間する自由縁を形成した他方の側縁とを有することで、自由縁に取り付けられた伸縮弾性部材の収縮力によって、吸収体下面のバックシートに接着固定された部分を基端部として吸収体の側縁と共に上方に起立するようになっており、吸収体の側縁が立体ギャザーの一部として作用するため、漏れ防止及び装着感の向上に効果がある優れた構造となっている。
【００１２】
【実施例】
以下に、本発明の実施例を示す図面を参照して、更に詳しく説明するが、本発明はこれらの実施例により何等制限されるものではない。
図１は、サイドシームを接着閉鎖して予め立体パンツ型にしてある本発明の使いすておむつの斜視図である。
図１のパンツ型使いすておむつ１はウエスト周り開口部２、脚周り開口部３、股部、該股部を挟んで配設された前身頃５と後身頃６を有し、ウエスト周り開口部２および脚周り開口部３には両開口部に沿って伸縮弾性部材が取り付けられている。また前身頃５と後身頃６はサイドシーム７により接着閉鎖されている。
【００１３】
サイドシーム７の接着閉鎖は、吸収体９が内側になるように股部を介して前身頃５と後身頃６を重ね合わせ、両側縁を外側に突き出した状態、または両側縁を内側に突き出した状態、または一方の側縁を外側、他方の側縁を内側に突き出した状態で、両側縁の最外部に沿ってホットメルト接着剤、加圧溶融、超音波溶融等を単独またはそれらを組み合わせて接合することによって行われる。
【００１４】
着用時には、ウエスト周り開口部２に両脚を通して、パンツ型おむつを引き上げて、各脚周り開口部３に脚を通して着用する。着用中においては、おむつのウエスト周り開口部２および脚周り開口部３においてギャザーが形成されており、着用者へのフィット性、追随性および漏れ防止性が図られている。
また、吸収体の横方向両側縁を包み込むようにして配置されているフラップシート１８の一側縁が吸収体９の下面のバックシート１０に接着固定されていることで、吸収体の下面を基端部１５とし、吸収体９の側縁と共に上方に起立する立体ギャザー１１が形成されており、排泄物等の吸収体からの漏れが防止されている（図４参照）。吸収体９の幅方向両側縁部は非接合状態とした方が着用時の吸収体の身体への密着性と追随性が良いためむしろ好ましい。また前記脚周り開口部のギャザーと共に二重のギャザーが形成されているので脚部からの確実な漏れ防止が図られている。
【００１５】
図２は図１で示した本発明のパンツ型使いすておむつ１のサイドシーム７を開放展開して伸縮弾性部材を自由な状態とした場合を示す斜視図であり、図３は図２で示した使いすておむつの伸縮弾性部材を伸張した状態での斜視図である。図２において、図１の状態で装着されたときにサイドシーム７により接合された両側部は、開放展開することでサイドフラップ部４の端縁として示されており、左右の脚周り開口部に沿って伸縮弾性部材１３が設けられている。
【００１６】
図３において、ウエスト周りギャザーは液不透過性バックシート１０とは別体の弾性リボン１６から形成されている図を示している。この場合、弾性リボン１６は挟持接合領域１７の部位においてウエスト周りの液不透過性バックシート１０を挟み込むように取り付けられている。
図３では、液不透過性バックシート１０とは別体の弾性リボン１６から形成されるウエスト周りギャザーの例を示したが、ウエストギャザーは液不透過性バックシート１０を構成するシートの延長部で形成してもよい。また、図３ではウエスト周りギャザーがウエスト周り全周に配設された例を示したが、必ずしもウエスト周り全周に配設する必要はなく、おむつがウエストにフィットするようにギャザーが配設されていればよい。
【００１７】
図４は図２のＡ−Ａ´切断線での横断面図、図５は図２のＢ−Ｂ´切断線での横断面図を示す。
図４において、フラップシート１８は吸収体９の下面から吸収体９の横方向両側縁の外側に延出して存在し、吸収体９の下面に位置する側縁は接着剤２１によりバックシート１０に接着固定され、フラップシート１８の自由縁にはフラップ伸縮弾性部材１４が伸張状態で配設されている。
さらに、サイドフラップ部４を構成するサイドシート２０とバックシート１０の間には、脚周り開口部伸縮弾性部材１３が配設されている。
【００１８】
図４に示すように、おむつ着用時と同じ状態である伸縮弾性部材１４が自由な状態では、フラップシート１８がギャザリングされ吸収体９の側縁と共に吸収体の下面を基端部１５として上方に立ち上がり、排泄物を堰止めて漏れを防止する立体ギャザー１１を形成している。
【００１９】
また、図５はフラップシート１８の長手方向端部１９領域を示しており、この領域においてはフラップシート１８は上方に立ち上がることなくトップシート８上に倒された状態になっている。
図５ではフラップシート１８の自由縁にフラップ伸縮弾性部材１４が配置されている例を示したが、この両端部１９領域には必ずしもフラップ伸縮弾性部材１４を配置する必要はない。この場合、吸収体上面に存在するフラップシート１８の長手方向両端部１９は弾性リボン１６により挟むように覆われているため、着用者に密着する弾性リボン周辺のフィット性が良好となり、立体ギャザーを構成する材料が重ね合わされて凸部状となったり、風合いが硬化した場合であっても、肌には幅方向に連続した帯状シートが接しているため、着用者に不快感を与えないという効果がある。
【００２０】
図６は、フラップシート１８が吸収体９の下面全面を覆っている、図４とは別の実施例を示す、図２のＡ−Ａ′切断線での横断面図である。図４では、一対の立体ギャザー１１は吸収体９の両側縁に配置された２枚のフラップシート１８により形成されているが、図６に示すように、立体ギャザー１１は吸収体９の下面全体を覆う１枚のフラップシート１８により構成されていてもよい。
【００２１】
図７は図３とは吸収体９の形状が異なる実施例であり、図８は図７のＣ−Ｃ′切断線での横断面図を示す。吸収体９の形状は良好なフィット性を得るために砂時計型やＴ字型等股下部を狭くした形状があるが、図８に示すように該吸収体９の長手方向中央の吸収体幅が狭い領域では、吸収体が存在しない部分はフラップシート１８が上方に立ち上がり、より容量の大きいポケット構造の立体ギャザー１１を形成する。
【００２２】
本発明において用いられる液透過性トップシート８としてはポリエチレン、ポリプロピレン、ポリエステル等からなる液体透過性不織布、織布、多孔性プラスチックフィルム、多孔性フォーム、網状フォーム等が用いられる。また、天然繊維（例えば木質繊維、綿状繊維等）でも良く、合成繊維と天然繊維との組み合わせ等、広い範囲の材料から製造することができる。いずれにしても、トップシート１は、直接肌に接触する部分であるため、柔らかく、肌触りの良いものであれば良い。
【００２３】
本発明において吸収体９としては主に綿状パルプ、高吸水性高分子物質等からなるものが用いられているが、特に制限されるものではなく、吸水性スポンジ、吸水性シート等でも良く、吸水性の性質を持っていれば良い。本発明における綿状パルプは、化学パルプ、機械パルプあるいは化学機械パルプのシートを粉砕機で綿状にしたものである。パルプ原料としては針葉樹に限らず、広葉樹、わら、竹及びバガス等も適用される。また、綿状パルプとともに、合成繊維、熱融着成分、接着剤等が含まれていても構わない。その他に吸収紙単独、または熱融着繊維等の混合物や積層物が用いられる。
【００２４】
高吸水性高分子物質としては、デンプン重合体、アクリル酸系重合体、セルロ−ス系等、自重の５０倍以上の水を吸収するもので、ポリアクリル酸ナトリウム等のポリアクリル酸系のものが吸収性能の点から最も適当である。また、形状も、繊維状、粒状、シート状等特に制限はない。前記吸収体は高吸水性高分子物質は綿状パルプと混合されていても良く、また綿状パルプの間に層状で散布されていても良く、その両方であっても良い。
【００２５】
前記吸収体９の形状は、砂時計型、矩型、Ｔ字型等特に制限はなく、股下にフィットする形状であれば良い。一般的に装着感を向上させるために、砂時計型やＴ字型等股下部を狭くした形状があるが、吸収体の幅を狭くするにつれて吸収体の容量も少なくなり、漏れにつながることになる。本発明では、立体ギャザーが吸収体の下面に基端部を有するために、立体ギャザーと共に吸収体の側縁が起立し、着用者の動きに追従しやすくなる。このため、吸収体の容量を減少させずに装着感を向上させることが可能となるために、装着感の向上が図れる。さらに、吸収体の側縁が立体ギャザーの一部として作用するため、より効果的に漏れを防止できる。
また、吸収体９は親水性シートによってくるまれていても良く、吸収体９中に親水性シートが挟み込まれていても良い。親水性シートとしては、例えば吸水紙、親水性不織布等の親水性のシ−トが用いられる。
【００２６】
本発明において、立体ギャザー１１の自由縁に配置されたフラップ伸縮弾性部材１４、脚周り開口部伸縮弾性部材１３、ウエスト周り開口部伸縮弾性部材１２等の伸縮弾性部材は、エラストマーフィルム、ポリウレタンフィルム、エラストマーフォーム、ポリウレタンフォーム、天然糸ゴム、ウレタン糸ゴム、平ゴム、熱収縮性フィルム等が使用されているが、伸縮性のある素材であれば特に限定されない。また、これらの伸縮弾性部材はそれぞれ伸張状態で立体ギャザー部分、脚周り開口部、ウエスト周り開口部に配置され、接着固定されている。接着固定方法としては、ホットメルト接着剤による方法、ヒートシール溶着法、超音波溶着法等を単独又は、これらを組み合わせて行うが、尿等で濡れても剥がれないような方法であれば良い。
【００２７】
本発明において立体ギャザー１１は、吸収体の下面に位置する基端部１５と、基端部１５とは反対側の吸収体の上面に位置し、吸収体上面から離間する自由縁を有する。自由縁は、フラップシート１８の側縁部を伸縮性弾性体１４を内側に包み込むように折り曲げることによって袋状に形成されている。フラップ伸縮弾性部材１４としては、伸縮性のある素材であれば特に限定されないが、サイドフラップ４に配置されている脚周り開口部伸縮弾性部材１３と同じ素材でも異なる素材でも良い。また、１本でも数本配置していても良く、少なくとも立体ギャザー１１の袋状の頭頂部には設置されていないことが好ましい。いずれにしても、立体ギャザー１１がしっかり起立できるようにフラップ伸縮弾性部材１４が配置されていれば良い。
【００２８】
立体ギャザーの自由縁の長手方向両端部１９にはフラップ伸縮弾性部材１４は配置されていない方が好ましい。また、自由縁の長手方向両端部１９は、腹部及び背部が直接あたる部分であるため、立体ギャザー１１は起立していない方が好ましく、腹部及び背部領域で立体ギャザー１１が起立すると、装着感が極端に悪くなる。
さらに、自由縁を形成しているフラップシート１８の側縁部の折り返しの幅は、中に設置する伸縮性弾性体１４を包むことができる幅であれば良く、また立体ギャザー１１全体が２重のシートで形成されていても良い。立体ギャザー１１全体が２重のシートで形成されていれば、防漏性が向上し、漏れに対してさらに効果的である。
【００２９】
また、立体ギャザー１１の股下領域にあたる長手方向中央域は、図２および図４に示すように、自由縁に取り付けられたフラップ伸縮弾性部材１４の収縮力によって、立体ギャザー１１は基端部１５から吸収体の両側縁部分とともに上方に起立するため、単純に立体ギャザー１１を内側に倒す場合よりも、容量の大きいポケット構造を形成することができ、漏れ防止に絶大な効果を上げることができる。
【００３０】
立体ギャザーの基端部１５は、吸収体９の下面の吸収体側縁部と該側縁部から内側６ｃｍの間のバックシート１０上に位置することが適切である。基端部１５が、吸収体９の側縁より外側にあると、吸収体９の全く存在しない部分が立体ギャザー１１が形成するポケット構造内に存在することになるため、多量に排泄された尿及び軟便が立体ギャザー１１で溜まり、立体ギャザー１１の壁面に沿って吸収体９側に流れ込んだ場合、吸収体９の存在しない部分では、尿や軟便を吸収できず、その部分で尿等がプール状に溜まり、この時、紙おむつを装着している子供が少しでも動けば漏れが発生することになる。逆に、基端部１５が吸収体側縁部から６ｃｍ以上内側に入り込んだ位置にあると、吸収体自体の立ち上がりが大きくなり、装着感が著しく悪くなる。また、基端部１５が吸収体９の側縁部から６ｃｍ以内の内側にあっても、それが吸収体上にあると、立体ギャザーが吸収体上を覆う部分が多くなり、尿の吸収領域が狭くなるため、漏れやすくなる。
【００３１】
立体ギャザー１１の幅は、１ｃｍ〜７ｃｍ、好ましくは３ｃｍ〜５ｃｍである。立体ギャザー１１の幅が１ｃｍ未満であると立体ギャザー１１の起立高さが低くなり過ぎ、防漏性が損なわれる。逆に７ｃｍを越えると立体ギャザー１１の起立高さが高くなり過ぎて、おむつ装着時に立体ギャザーが折れ曲る、あるいは脚周り部ギャザーと着用者の肌の間に挟み込まれる等、装着不良となりやすくなり、少量の尿でも漏れることになる。
【００３２】
立体ギャザーの形成に使用されるフラップシート１８は、防漏性であることが好ましく、例えば、撥水性不織布、極細繊維で形成された不織布、フィルムとの貼りあわせ不織布等が好ましい。フラップシート１８を液透過性シート構成すると、通気性を有するのでおむつ着用中に蒸れることなく、着用者に不快感を与えることはない。またフラップシート１８を液不透過性シートで構成すると漏れに対して有効となる。
【００３３】
本発明に用いられる液不透過性バックシート１０は、ポリエチレン等の液不透過性フィルム、液不透過性のフィルムに不織布、織布等を貼り合わせてなる素材、あるいは防漏性のある不織布、織布等からなり、特に制限はなく、吸収体中の水分がおむつ外部に滲み出さないものであればいずれでも良い。また、布状外観を与えるために模様状にエンボス処理されたり、あるいは艶消し仕上げされていても良い。さらに、フィルムを使用する場合は、液不透過性でありながら、水蒸気だけを透過させる公知の通気性フィルムを使用しても良く、ムレを防止することからさらに好ましい。
【００３４】
本発明においてサイドフラップ部４は吸収体９の両側縁から外側へ延出したバックシート１０部分と、この上に積層されたサイドシート２０とから形成されており、さらに、サイドフラップ部４の脚周り開口部３には、バックシート１０とサイドシート２０の間に脚周り開口部伸縮弾性部材１３が伸長状態で配設されている。このとき脚周り開口部伸縮弾性部材１３は、おむつの少なくとも股下部分に配設されるが、フィット性の向上、漏れ防止等着用者が快適に着用するためには、脚周り全周にギャザーが存在していることが好ましい。また、脚周り開口部伸縮弾性部材１３は、１本の弾性体または相互に平行、あるいは非平行に配設された数本の弾性体からなり、直線状または曲線状に配設することができるが、股部とのフィット性を良好にするためには脚周り開口部に沿って湾曲して配設していることが望ましい。
【００３５】
本発明のサイドシート２０は、トップシート８と同じ素材であっても良く、異なる素材であっても良いが、脚周り開口部３から尿等が滲み出さないように撥水性であることがさらに好ましい。
また、本発明においては、おむつの着用者へのフィット性を良好にするために、バックシート１０あるいはサイドシート２０に伸縮性を有する材料を用いて、バックシートあるいはサイドフラップ部に伸縮性を付与しても良い。伸縮性を有する材料としては、液不透過性で伸縮弾性を有するエラストマー不織ウエブ、あるいはエラストマー不織ウエブの少なくとも片面にポリエチレンテレフタレート繊維のようなポリエステル繊維、ポリオレフィン繊維、ナイロン繊維のようなポリアミド繊維、コットン繊維、パルプ繊維のようなセルロース繊維およびこれらの混合物から選ばれる材料から形成された繊維層を水流交絡または積層させたウエブ等が用いられる。さらに、５〜４０μｍの厚さの透湿性、伸縮性を有するポリウレタン系のフィルム、天然ゴムシート、発泡シート等の少なくとも片面に、上記エラストマー不織ウエブに繊維層を水流交絡または積層させたウエブや、水流交絡不織布を積層貼り合わせあるいはラミネートしたものも用いることができるが、いずれも蒸れを防止するために透湿性を有することが好ましい。
【００３６】
バックシート１０とサイドシート２０との積層貼合せは、ホットメルト接着剤により接着される。ホットメルト接着剤の塗布方法は、ビード、スパイラル、メルトブローなど一般に用いられる方法であれば何等でもよいが、接着剤による伸縮性への影響を少なくし、貼合せた後のシートの風合いが良好であるためには、接着剤の使用量を可能な範囲で少なく、且つ塗布面全面に均一に塗布することが望ましく、メルトブローによる塗布がより好ましい。前記メルトブローによる接着はおむつを製造する工程の随所で用いられる。
【００３７】
また、ウエスト周り開口部２にギャザーを付与する弾性リボン１６を形成する帯状シートとしてはポリエチレン、ポリプロピレン、ポリエステル、その他の熱可塑性樹脂を原料とした合成繊維からなる不織布が用いられるが、装着時のウエスト周りのフィット性を高めるために比較的嵩高で柔軟性に優れた不織布であることが望ましい。
また、弾性リボン１６の伸縮弾性領域の幅は５〜５０ｍｍ、好ましくは２０〜３０ｍｍであり、５ｍｍ未満の幅となると弾性リボン１６が肌に接する面積が小さ過ぎて、伸縮弾性部材の収縮による締め付け圧力が大きくなり肌に跡がつきやすくなり好ましくない。また、幅が５０ｍｍを越えると、広すぎて見栄えが良くなく、また着用中に内側に折り込まれてしまうことがあり好ましくない。弾性リボン１６の挟持領域１７の幅は、弾性リボン１６と吸収体９と液不透過性バックシート１０との積層体の接着強度が十分に得られる程度の幅を有していれば良いが、ホットメルト接着剤で接合する場合は５〜２０ｍｍ程度が良い。
【００３８】
液不透過性バックシート１０が伸縮弾性を有する場合、該伸縮弾性を有するシートを伸長状態で弾性リボン１６と接合して、パンツ型使いすておむつとして完成させた場合、ウエスト周り開口部２はおむつ本体の横幅まで広がることができることとなり、開口部が大きくなるために着脱しやすくなり、また、着用中は弾性リボン１６とサイドシート２０が縮み、緊張状態にあるためにウエスト周りや胴周りにおいて着用者に密着し、おむつのずれ落ちがなく見栄えがよくなる。
【００３９】
上記実施例は、予め立体パンツ型とした使いすておむつを示したが、サイドシーム７を接着閉鎖することなく、サイドフラップ部４に締結手段を設け、おむつ使用時に、その締結手段でおむつの前身頃５と後身頃６とを接着固定することで装着する形状であっても良い。
【００４０】
【発明の効果】
本発明の使いすておむつは、立体ギャザーの基端部が吸収体の下面に位置しており、立体ギャザーが起立すると、吸収体の両側縁も同時に起立して立体ギャザーの一部として作用するため、良好な漏れ防止効果を有するものであり、さらに、常に着用者の動きに追随するので良好な着用感を有するものである。
【図面の簡単な説明】
【図１】本発明のパンツ型使いすておむつの斜視図。
【図２】図１のサイドシームを開放し伸縮弾性部材が自由な状態での展開図。
【図３】図２の伸縮弾性部材が伸張状態での展開図。
【図４】図２のＡ−Ａ’切断線での横断面図。
【図５】図２のＢ−Ｂ’切断線での横断面図。
【図６】図４とは異なる別の実施例を示す横断面図。
【図７】図３とは異なる別の実施例を示す展開図。
【図８】図７のＣ−Ｃ’切断線での横断面図。
【符号の説明】
１：パンツ型使いすておむつ
２：ウエスト周り開口部
３：脚周り開口部
４：サイドフラップ部
５：前身頃
６：後身頃
７：サイドシーム
８：液透過性トップシート
９：吸収体
１０：液不透過性バックシート
１１：立体ギャザー
１２：ウエスト周り開口部伸縮弾性部材
１３：脚周り開口部伸縮弾性部材
１４：フラップ伸縮弾性部材
１５：基端部
１６：弾性リボン
１７：挟持接合領域
１８：フラップシート
１９：フラップシートの長手方向端部
２０：サイドシート
２１：接着剤
【図１】
0003591555.tif 000002
【図２】
0003591555.tif 000003
【図３】
0003591555.tif 000004
【図４】
0003591555.tif 000005
【図５】
0003591555.tif 000006
【図６】
0003591555.tif 000007
【図７】
0003591555.tif 000008
【図８】
0003591555.tif 000009